(57)【特許請求の範囲】
【請求項１】
装置本体と、前記装置本体に装着される増設排紙ユニットとを備えた記録装置において、
前記装置本体は、
画像データに基づいて記録媒体に画像を記録する画像記録手段と、
記録媒体を収容するための本体排紙トレイと、
前記画像記録手段により画像が記録された記録媒体の搬送先を、前記本体排紙トレイと前記増設排紙ユニットとの間で選択的に切り替え可能な搬送先切替手段と、
前記画像記録手段、及び前記搬送先切替手段を制御する本体制御手段と
を備え、
前記増設排紙ユニットは、
記録媒体を収容するための増設排紙トレイと、
前記装置本体から搬送されてきた記録媒体を前記増設排紙トレイへと案内する増設搬送経路と、
前記増設搬送経路における記録媒体の詰りを検知するジャム検知手段と、
前記装置本体の前記搬送先切替手段を直接制御するための増設搬送先制御手段と
を備えており、
前記増設搬送先制御手段は、前記ジャム検知手段が記録媒体の詰りを検知したときに、記録媒体の搬送先を前記増設排紙ユニットから前記本体排紙トレイに変更させるように前記搬送先切替手段を直接制御し、且つ、
前記増設排紙ユニットは、
前記増設排紙トレイを複数有しており、
前記増設搬送経路は、前記複数の前記増設排紙トレイのうちの第１増設排紙トレイへと記録媒体を案内する主増設搬送経路と、前記主増設搬送経路から分岐して、前記第１増設排紙トレイとは異なる第２増設排紙トレイへと記録媒体を案内する分岐増設搬送経路を含み、
前記装置本体から搬送されてきた記録媒体の搬送先を、少なくとも前記第１増設排紙トレイと前記第２増設排紙トレイとの間で選択的に切り替え可能な増設トレイ側搬送先切替手段と、
前記増設トレイ側搬送先切替手段を制御する増設トレイ側搬送先制御手段と
を更に備え、
前記増設搬送先制御手段は、前記ジャム検知手段が前記主増設搬送経路と前記分岐増設搬送経路との分岐点よりも搬送方向上流側における前記主増設搬送経路の記録媒体の詰りを検知した場合に、記録媒体の搬送先を前記増設排紙ユニットから前記本体排紙トレイに変更させるように前記搬送先切替手段を直接制御するものであることを特徴とする記録装置。
【請求項２】
装置本体と、前記装置本体に装着される増設排紙ユニットとを備えた記録装置において、
前記装置本体は、
画像データに基づいて記録媒体に画像を記録する画像記録手段と、
記録媒体を収容するための本体排紙トレイと、
前記画像記録手段により画像が記録された記録媒体の搬送先を、前記本体排紙トレイと前記増設排紙ユニットとの間で選択的に切り替え可能な搬送先切替手段と、
前記画像記録手段、及び前記搬送先切替手段を制御する本体制御手段と
を備え、
前記増設排紙ユニットは、
記録媒体を収容するための増設排紙トレイと、
前記装置本体から搬送されてきた記録媒体を前記増設排紙トレイへと案内する増設搬送経路と、
前記増設搬送経路における記録媒体の詰りを検知するジャム検知手段と、
前記装置本体の前記搬送先切替手段を直接制御するための増設搬送先制御手段と
を備えており、
前記増設搬送先制御手段は、前記ジャム検知手段が記録媒体の詰りを検知したときに、記録媒体の搬送先を前記増設排紙ユニットから前記本体排紙トレイに変更させるように前記搬送先切替手段を直接制御し、且つ、
前記増設排紙ユニットは、
前記ジャム検知手段が記録媒体の詰りを検知したときに、ジャム検知データを前記本体制御手段に対して送信する検知データ送信手段を更に備えており、
前記本体制御手段は、前記ジャム検知データを前記検知データ送信手段から受信したときに、現在記録中の記録媒体に対しては記録を続行し、その後の記録媒体に対する記録は停止するように前記画像記録手段を制御することを特徴とする記録装置。
【請求項３】
前記装置本体は、表示手段と、ユーザの操作入力を受け付ける操作入力手段とを更に備えており、
前記本体制御手段は、前記ジャム検知データを前記検知データ送信手段から受信したときに、前記増設排紙ユニットの前記増設搬送経路に記録媒体の詰りが発生したことを表す画像、記録媒体の搬送先が前記本体排紙トレイに切り替わったことを表す画像、及び、記録媒体の搬送先を前記本体排紙トレイとして記録媒体への記録を続行するか否かをユーザに選択させるための選択画像を前記表示手段に表示させ、前記操作入力手段が、ユーザから前記記録媒体の記録を続行する旨の操作入力を受け付けた場合には、前記記録媒体への記録が続行されるように前記画像記録手段を制御することを特徴とする請求項２に記載の記録装置。
【請求項４】
装置本体と、前記装置本体に装着される増設排紙ユニットとを備えた記録装置において、
前記装置本体は、
画像データに基づいて記録媒体に画像を記録する画像記録手段と、
記録媒体を収容するための本体排紙トレイと、
前記画像記録手段により画像が記録された記録媒体の搬送先を、前記本体排紙トレイと前記増設排紙ユニットとの間で選択的に切り替え可能な搬送先切替手段と、
前記画像記録手段、及び前記搬送先切替手段を制御する本体制御手段と
を備え、
前記増設排紙ユニットは、
記録媒体を収容するための増設排紙トレイと、
前記装置本体から搬送されてきた記録媒体を前記増設排紙トレイへと案内する増設搬送経路と、
前記増設搬送経路における記録媒体の詰りを検知するジャム検知手段と、
前記装置本体の前記搬送先切替手段を直接制御するための増設搬送先制御手段と
を備えており、
前記増設搬送先制御手段は、前記ジャム検知手段が記録媒体の詰りを検知したときに、記録媒体の搬送先を前記増設排紙ユニットから前記本体排紙トレイに変更させるように前記搬送先切替手段を直接制御し、且つ、
前記増設排紙ユニットが、
前記本体制御手段との間で、前記増設搬送先制御手段による前記搬送先切替手段の制御許可に関する認証を行う認証制御手段と、
前記認証制御手段による前記制御許可の認証が成功したときは、前記増設搬送先制御手段に対して前記搬送先切替手段の制御を許可し、前記認証制御手段による前記制御許可の認証が失敗したときには前記増設搬送先制御手段に対して前記搬送先切替手段の制御を禁止する制御許可手段と
を更に備えていることを特徴とする記録装置。
【請求項５】
前記増設トレイ側搬送先制御手段は、前記ジャム検知手段が前記分岐増設搬送経路の記録媒体の詰りを検知し、且つ前記主増設搬送経路の記録媒体の詰りを検知していないときに、記録媒体の搬送先を前記第２増設排紙トレイから前記第１増設排紙トレイに変更させるように前記増設トレイ側搬送先切替手段を制御するものであることを特徴とする請求項１に記載の記録装置。
【請求項６】
画像データに基づいて記録媒体に画像を記録する画像記録手段と、記録媒体を収容するための本体排紙トレイと、前記画像記録手段により画像が記録された記録媒体の搬送先を、前記本体排紙トレイと前記本体排紙トレイとは異なる外部との間で選択的に切り替え可能な搬送先切替手段と、前記画像記録手段、及び前記搬送先切替手段を制御する本体制御手段とを備えた記録装置本体に装着される増設排紙ユニットであって、
記録媒体を収容するための増設排紙トレイと、
前記搬送先切替手段が記録媒体の搬送先を前記外部に設定しているときに前記記録装置本体から搬送されてきた記録媒体を、前記増設排紙トレイへと案内する増設搬送経路と、
前記増設搬送経路における記録媒体の詰りを検知するジャム検知手段と、
前記記録装置本体の前記搬送先切替手段を直接制御するための増設搬送先制御手段と
を備えており、
前記増設搬送先制御手段は、前記ジャム検知手段が記録媒体の詰りを検知したときに、記録媒体の搬送先を前記増設排紙ユニットから前記本体排紙トレイに変更させるように前記搬送先切替手段を直接制御し、且つ、
前記増設排紙ユニットは、
前記増設排紙トレイを複数有しており、
前記増設搬送経路は、前記複数の前記増設排紙トレイのうちの第１増設排紙トレイへと記録媒体を案内する主増設搬送経路と、前記主増設搬送経路から分岐して、前記第１増設排紙トレイとは異なる第２増設排紙トレイへと記録媒体を案内する分岐増設搬送経路を含み、
前記装置本体から搬送されてきた記録媒体の搬送先を、少なくとも前記第１増設排紙トレイと前記第２増設排紙トレイとの間で選択的に切り替え可能な増設トレイ側搬送先切替手段と、
前記増設トレイ側搬送先切替手段を制御する増設トレイ側搬送先制御手段と
を更に備え、
前記増設搬送先制御手段は、前記ジャム検知手段が前記主増設搬送経路と前記分岐増設搬送経路との分岐点よりも搬送方向上流側における前記主増設搬送経路の記録媒体の詰りを検知した場合に、記録媒体の搬送先を前記増設排紙ユニットから前記本体排紙トレイに変更させるように前記搬送先切替手段を直接制御することを特徴とする増設排紙ユニット。
【発明の詳細な説明】
【技術分野】
【０００１】
本発明は、記録装置、及びこの記録装置に用いられる増設排紙ユニットに関する。
【背景技術】
【０００２】
従来から、複数の排紙トレイを備えた記録装置が知られている。このような記録装置として、例えば、特許文献１には、使用中の排紙トレイにトレイフルなどのエラーが発生した場合に、他の排紙トレイに排紙を行うことで、印字を続行できる印字装置について開示されている。
【先行技術文献】
【特許文献】
【０００３】
【特許文献１】特開平７−１０３４４号公報
【発明の概要】
【発明が解決しようとする課題】
【０００４】
ところで、記録装置において、増設排紙ユニットをオプションとして装置本体に対して装着可能に構成されたものがある。この種の記録装置においては、通常、装置本体及び増設排紙ユニットそれぞれに互いに通信可能な制御手段が設けられている。この装置本体の本体制御手段は、画像が記録された記録媒体の搬送先を、装置本体の本体排紙トレイ及び増設排紙ユニットとの間で切り替える処理等を行う。また、増設排紙ユニットの増設ユニット制御手段は、増設排紙ユニット内の記録媒体の詰り（ジャム）の検知等を行う。
【０００５】
ここで、増設排紙ユニット内において記録媒体の詰りが発生した場合には、増設ユニット制御手段が記録媒体の詰りを検知して、その検知データを本体制御手段に対して送信する。そして、本体制御手段がその検知データを受信した後、記録媒体の搬送先が本体排紙トレイとなるように搬送先を切り替える処理が行われることになる。この場合において、増設排紙ユニット内において記録媒体の詰りが発生してから、記録媒体の搬送先が本体排紙トレイへと切り換わるまでの処理時間が長くなると増設排紙ユニット内の記録媒体の詰りが拡大するという問題が生じる。
【０００６】
そこで、本発明の目的は、増設排紙ユニット内において記録媒体の詰りが拡大することを抑制可能な記録装置、及び増設排紙ユニットを提供することにある。
【課題を解決するための手段】
【０００７】
上記の課題を解決するために、本発明の記録装置は、装置本体と、前記装置本体に装着される増設排紙ユニットとを備えた記録装置において、前記装置本体は、画像データに基づいて記録媒体に画像を記録する画像記録手段と、記録媒体を収容するための本体排紙トレイと、前記画像記録手段により画像が記録された記録媒体の搬送先を、前記本体排紙トレイと前記増設排紙ユニットとの間で選択的に切り替え可能な搬送先切替手段と、前記画像記録手段、及び前記搬送先切替手段を制御する本体制御手段とを備え、前記増設排紙ユニットは、記録媒体を収容するための増設排紙トレイと、前記装置本体から搬送されてきた記録媒体を前記増設排紙トレイへと案内する増設搬送経路と、前記増設搬送経路における記録媒体の詰りを検知するジャム検知手段と、前記装置本体の前記搬送先切替手段を直接制御するための増設搬送先制御手段とを備えており、前記増設搬送先制御手段は、前記ジャム検知手段が記録媒体の詰りを検知したときに、記録媒体の搬送先を前記増設排紙ユニットから前記本体排紙トレイに変更させるように前記搬送先切替手段を直接制御することを特徴とする。
【０００８】
また、本発明の増設排紙ユニットは、画像データに基づいて記録媒体に画像を記録する画像記録手段と、記録媒体を収容するための本体排紙トレイと、前記画像記録手段により画像が記録された記録媒体の搬送先を、前記本体排紙トレイと前記本体排紙トレイとは異なる外部との間で選択的に切り替え可能な搬送先切替手段と、前記画像記録手段、及び前記搬送先切替手段を制御する本体制御手段とを備えた記録装置本体に装着される増設排紙ユニットであって、記録媒体を収容するための増設排紙トレイと、前記搬送先切替手段が記録媒体の搬送先を前記外部に設定しているときに前記記録装置本体から搬送されてきた記録媒体を、前記増設排紙トレイへと案内する増設搬送経路と、前記増設搬送経路における記録媒体の詰りを検知するジャム検知手段と、前記記録装置本体の前記搬送先切替手段を直接制御するための増設搬送先制御手段とを備えており、前記増設搬送先制御手段は、前記ジャム検知手段が記録媒体の詰りを検知したときに、記録媒体の搬送先を前記増設排紙ユニットから前記本体排紙トレイに変更させるように前記搬送先切替手段を直接制御することを特徴とする。
【０００９】
上記の記録装置の構成、及び増設排紙ユニットの構成によれば、増設搬送先制御手段が装置本体の搬送先切替手段を直接制御することが可能にされているため、増設排紙ユニット内において記録媒体の詰りが発生してから、記録媒体の搬送先が本体排紙トレイへと切り換わるまでの処理時間を短くすることができる。その結果、増設排紙ユニット内の記録媒体の詰りが拡大することを抑制することができる。
【００１０】
また、本発明の記録装置、及び増設排紙ユニットにおいては、前記増設排紙ユニットは、前記増設排紙トレイを複数有しており、前記増設搬送経路は、前記複数の前記増設排紙トレイのうちの第１増設排紙トレイへと記録媒体を案内する主増設搬送経路と、前記主増設搬送経路から分岐して、前記第１増設排紙トレイとは異なる第２増設排紙トレイへと記録媒体を案内する分岐増設搬送経路を含み、前記装置本体から搬送されてきた記録媒体の搬送先を、少なくとも前記第１増設排紙トレイと前記第２増設排紙トレイとの間で選択的に切り替え可能な増設トレイ側搬送先切替手段と、前記増設トレイ側搬送先切替手段を制御する増設トレイ側搬送先制御手段とを更に備え、前記増設搬送先制御手段は、前記ジャム検知手段が前記主増設搬送経路と前記分岐増設搬送経路との分岐点よりも搬送方向上流側における前記主増設搬送経路の記録媒体の詰りを検知した場合に、記録媒体の搬送先を前記増設排紙ユニットから前記本体排紙トレイに変更させるように前記搬送先切替手段を直接制御する。上記の構成によれば、増設排紙ユニットにおいて何れの増設排紙トレイにも記録媒体を排紙することができないときに、記録媒体を装置本体の本体排紙トレイに排紙させることができる。
【００１１】
また、本発明の別の観点に係る記録装置において、前記増設排紙ユニットは、前記ジャム検知手段が記録媒体の詰りを検知したときに、ジャム検知データを前記本体制御手段に対して送信する検知データ送信手段を更に備えており、前記本体制御手段は、前記ジャム検知データを前記検知データ送信手段から受信したときに、現在記録中の記録媒体に対しては記録を続行し、その後の記録媒体に対する記録は停止するように前記画像記録手段を制御する。上記の構成によれば、増設排紙ユニット内において記録媒体の詰りが発生した場合には、記録中の記録媒体に対してのみ記録が続行されるので、記録中の記録媒体が無駄になること防ぐことができると共に、本来の排紙先とは異なる本体排紙トレイに排紙される記録媒体の枚数を最小限に留めることができる。
【００１２】
また、本発明の記録装置において、前記装置本体は、表示手段と、ユーザの操作入力を受け付ける操作入力手段とを更に備えており、前記本体制御手段は、前記ジャム検知データを前記検知データ送信手段から受信したときに、前記増設排紙ユニットの前記増設搬送経路に記録媒体の詰りが発生したことを表す画像、記録媒体の搬送先が前記本体排紙トレイに切り替わったことを表す画像、及び、記録媒体の搬送先を前記本体側排紙トレイとして記録媒体への記録を続行するか否かをユーザに選択させるための選択画像を前記表示手段に表示させ、前記操作入力手段が、ユーザから前記記録媒体の記録を続行する旨の操作入力を受け付けた場合には、前記記録媒体への記録が続行されるように前記画像記録手段を制御してもよい。上記の構成によれば、増設排紙ユニットの増設搬送経路において記録媒体の詰りが発生したことにより、記録媒体の搬送先が本体排紙トレイに切り替わったことをユーザが視認することができる。またさらには、記録媒体の搬送先を本体側排紙トレイとして記録媒体への記録を続行するか否かをユーザが選択できるので、ユーザの操作性を向上させることができる。
【００１３】
また、本発明のさらに別の観点に係る記録装置において、前記増設排紙ユニットが、前記本体制御手段との間で、前記増設搬送先制御手段による前記搬送先切替手段の制御許可に関する認証を行う認証制御手段と、前記認証制御手段による前記制御許可の認証が成功したときは、前記増設搬送先制御手段に対して前記搬送先切替手段の制御を許可し、前記認証制御手段による前記制御許可の認証が失敗したときには前記増設搬送先制御手段に対して前記搬送先切替手段の制御を禁止する制御許可手段とを更に備えている。上記の構成によれば、搬送先切替手段の制御許可の認証が成功したときのみ、増設搬送先制御手段は搬送先切替手段を制御することができるので、当該増設搬送先制御手段により搬送先切替手段の制御を正常に行うことができる。
【００１４】
また、本発明の記録装置においては、前記増設トレイ側搬送先制御手段は、前記ジャム検知手段が前記分岐増設搬送経路の記録媒体の詰りを検知し、且つ前記主増設搬送経路の記録媒体の詰りを検知していないときに、記録媒体の搬送先を前記第２増設排紙トレイから前記第１増設排紙トレイに変更させるように前記増設トレイ側搬送先切替手段を制御してもよい。上記の構成によれば、装置本体の搬送先切替手段を制御することなく、増設排紙ユニット内の記録媒体の詰りが拡大することを抑制することができる。
【発明の効果】
【００１５】
本発明によると、増設排紙ユニット内の記録媒体の詰りが拡大することを抑制することができる。
【図面の簡単な説明】
【００１６】
【図１】本発明の一実施形態に係るプリンタの機械的構成を示す概略側面図である。
【図２】図１に示す本体搬送先切替機構近傍の部分側面図である。
【図３】図１に示すプリンタの電気的構成を示す図である。
【図４】図１に示す装置本体の動作を説明する動作フロー図である。
【図５】図１に示す増設排紙ユニットの動作を説明する動作フロー図である。
【発明を実施するための形態】
【００１７】
以下、本発明の好適な実施の形態として、記録装置をインクジェットプリンタに適用し、図面を参照しつつ説明する。
【００１８】
先ず、図１及び図２を参照し、プリンタ１０１の全体構成について説明する。プリンタ１０１は、図１に示すように、用紙Ｐに画像を記録（形成）する装置本体１と、装置本体１に対して着脱可能に装着される増設排紙ユニット２００とを備えている。
【００１９】
（装置本体の機械的構成）
装置本体１は、直方体形状の装置筐体１ａを有する。装置筐体１ａの天板には、用紙排紙口１ｄが開口しているとともに、記録媒体である用紙Ｐを収容するための本体排紙トレイ６０が設けられている。また、装置筐体１ａにより画定される空間（プリンタ１０１の内部空間）には、給紙ユニット１ｃから本体排紙トレイ６０に向けて、用紙Ｐが搬送される搬送経路が形成されている。また、プリンタ１０１の内部空間には、用紙Ｐの搬送経路を規定する搬送機構３０、搬送機構３０により搬送されている用紙Ｐ上に画像を記録するインクジェットヘッド１０（以下、単にヘッド１０と称す）、搬送機構３０に用紙Ｐを給紙する給紙ユニット１ｃ、及び、装置本体１全体の動作を司る本体制御部（本体制御手段）１００、及びタッチパネル８０（図３参照）等が配置されている。
【００２０】
ヘッド１０は、主走査方向に長尺な略直方体形状を有するラインヘッドであり、その下面は多数の吐出口が開口した吐出面１０ａである。また、ヘッド１０は、ヘッドホルダ１３を介して装置筐体１ａに支持されている。ヘッドホルダ１３は、吐出面１０ａと後述のプラテン４６との間に画像記録に適した所定の間隙が形成されるようにヘッド１０を保持している。
【００２１】
搬送機構３０が規定する搬送経路は、通常搬送に係る本体搬送路Ｒ１，Ｒ２，Ｒ３と、増設排紙ユニット２００が装置本体１に装着されたときに、当該増設排紙ユニット２００の後述の増設搬送経路ＲＥに接続される本体搬送路Ｒ４とを含む。
【００２２】
本体搬送路Ｒ１は、給紙ユニット１ｃから記録位置（吐出面１０ａと対向する位置）に至る経路であり、送りローラ３１〜３３、及びガイド３６〜３９により規定されている。本体搬送路Ｒ２は、ヘッド１０の記録位置を通る経路であり、送りローラ４１，４２、及びヘッド１０と対向するプラテン４６により規定されている。本体搬送路Ｒ３は、記録位置から本体排紙トレイ６０に至る経路であり、送りローラ５１〜５４、及びガイド５６〜５９により規定されている。
【００２３】
本体搬送路Ｒ４は、本体搬送路Ｒ３の途中から分岐して、用紙排紙口１ｄに至る経路であり、ガイド５９から分岐した分岐ガイド５９ａ、及び用紙排紙口１ｄにより規定されている。送りローラ３１〜３３，４１，４２，５１〜５４は、用紙Ｐを挟持するように対向配置された一対のローラ部材をそれぞれ有しており、挟持した用紙Ｐが搬送方向に搬送されるように用紙Ｐに搬送力を付与する。また、ガイド３６〜３９，５６〜５９は、互いに対向する一対のガイド面から構成されており、装置筐体１ａに支持されている。
【００２４】
また、本体搬送路Ｒ３と本体搬送路Ｒ４との分岐点には、画像記録された用紙Ｐの搬送先を、本体排紙トレイ６０と増設排紙ユニット２００との間で選択的に切り替え可能な本体搬送先切替機構（搬送先切替手段）７０が設けられている。本体搬送先切替機構７０は、第１位置（図２に示す位置）と、本体搬送路Ｒ３と本体搬送路Ｒ４をと連通させる第２位置（図１に示す位置）との間において、揺動する揺動部材７１と、揺動部材７１を駆動する本体搬送先切替モータ７２（図３参照）とを有する。揺動部材７１は、本体制御部１００又は増設排紙ユニット制御部３００の制御の下、本体搬送先切替モータ７２が駆動されることで、用紙Ｐを本体排紙トレイ６０に搬送する際には第１位置に、用紙Ｐを増設排紙ユニット２００に搬送する際には第２位置に配置される。
【００２５】
給紙ユニット１ｃは、装置筐体１ａに対して副走査方向（主走査方向及び鉛直方向と直交する方向）に着脱可能に装着される給紙トレイ２０、及び、給紙ローラ２１を有している。給紙トレイ２０は、上方に開口する箱であり、複数の用紙Ｐを収納する。給紙ローラ２１は、給紙トレイ２０内で最も上方にある用紙Ｐを本体搬送路Ｒ１へ送り出す。本実施形態においては、給紙ユニット１ｃ、搬送機構３０、及びヘッド１０で画像記録手段を構成している。
【００２６】
本体制御部１００は、外部装置（プリンタ１０１に接続されたＰＣ等）から受信した記録指令に基づいて、用紙Ｐに画像が記録されるよう、用紙Ｐの搬送動作、及び、用紙Ｐの搬送に同期したインク吐出動作等の画像記録を行う。本体制御部１００の搬送動作により給紙トレイ２０から送り出された用紙Ｐは、本体搬送路Ｒ１，Ｒ２に沿って搬送される。用紙Ｐがプラテン４６上に支持されつつヘッド１０の真下（記録位置）を副走査方向に通過する際に、本体制御部１００によりヘッド１０が駆動されて、吐出面１０ａの吐出口から用紙Ｐに向けてインクが吐出される。これにより用紙Ｐ上に所望の画像が記録される。なお、本体制御部１００のインク吐出動作は、用紙センサ１７からの検知信号に基づき行われる。その後、用紙Ｐは、本体搬送路Ｒ３に沿って搬送され、本体搬送先切替機構７０の揺動部材７１が第１位置に配置されている際には本体排紙トレイ６０に搬送され、揺動部材７１が第２位置に配置されている際には増設排紙ユニット２００に搬送される。
【００２７】
また、装置筐体１ａの天板上部には、装置本体１に対して装着される増設排紙ユニット２００の位置決めに用いられる位置決め穴１ｂが形成されていると共に、本体制御部１００に電気的に接続された本体コネクタ３が設けられている。この本体コネクタ３に対して増設排紙ユニット２００の後述の増設コネクタ２０３が接続されることで、本体制御部１００と、増設排紙ユニット２００の後述の増設ユニット制御部３００とが通信可能に接続される。また、本体コネクタ３と本体搬送先切替機構７０の本体搬送先切替モータ７２とは電気的に接続されており、本体コネクタ３に対して増設コネクタ２０３が接続されたときに、増設ユニット制御部３００が本体搬送先切替モータ７２を直接制御することが可能にされている。
【００２８】
（増設排紙ユニットの機械的構成）
次に、増設排紙ユニット２００の機械的構成について説明する。増設排紙ユニット２００は、図１に示すように、増設排紙筐体２００ａを有する。増設排紙筐体２００ａには、上下方向に離隔して配置され、用紙Ｐを収容するための３つの増設排紙トレイ２６０（２６１〜２６３）、用紙Ｐの搬送経路（以下、増設搬送経路ＲＥ）を規定する増設搬送機構２３０、及び、増設排紙ユニット２００全体の動作を司る増設ユニット制御部３００等が配置されている。増設排紙筐体２００ａの底板には、装置本体１から搬送される用紙Ｐが通過する用紙給紙口２００ｄが開口している。
【００２９】
増設搬送機構２３０が規定する増設搬送経路ＲＥは、主増設搬送路Ｒ５と、主増設搬送路Ｒ５の途中から分岐した分岐増設搬送経路Ｒ６，Ｒ７とを含む。
【００３０】
主増設搬送路Ｒ５は、用紙給紙口２００ｄから、最も鉛直方向上方に位置する増設排紙トレイ（第１増設排紙トレイ）２６１に至る経路であり、装置本体１から搬送されてきた用紙Ｐを増設排紙トレイ２６１へと案内する。この主増設搬送路Ｒ５は、送りローラ２３１〜２３４、及びガイド２３６〜２３８により規定されている。
【００３１】
分岐増設搬送経路Ｒ６は、主増設搬送路Ｒ５の途中から分岐して増設排紙トレイ（第２増設排紙トレイ）２６２に至る経路であり、用紙Ｐを増設排紙トレイ２６２へと案内する。この分岐増設搬送経路Ｒ６は、ガイド２３７から分岐した分岐ガイド２３７ａ、及び送りローラ２４１により規定されている。
【００３２】
また、分岐増設搬送経路Ｒ７は、主増設搬送路Ｒ５と分岐増設搬送経路Ｒ６との分岐点よりも搬送方向上流側において、主増設搬送路Ｒ５から分岐して増設排紙トレイ（第２増設排紙トレイ）２６３に至る経路であり、用紙Ｐを増設排紙トレイ２６３へと案内する。分岐増設搬送経路Ｒ７は、ガイド２３６から分岐した分岐ガイド２３６ａ、及び送りローラ２４２により規定されている。送りローラ２３１〜２３４，２４１，２４２は、用紙Ｐを挟持するように対向配置された一対のローラ部材をそれぞれ有しており、挟持した用紙Ｐが搬送方向に搬送されるように用紙Ｐに搬送力を付与する。また、ガイド２３６〜２３８は、互いに対向する一対のガイド面から構成されている。ガイド２３６〜２３８を構成する一対のガイド面のうち図中左のガイド面は増設排紙筐体２００ａに支持されている。
【００３３】
増設排紙筐体２００ａの側壁には開口が形成されており、当該開口には、下端の主走査方向に沿った水平軸を支点として開閉可能な扉２００ｃが設けられている。扉２００ｃはガイド２３６〜２３８を構成する一対のガイド面のうち図中右側のガイド面を支持している。この構成において、増設搬送経路ＲＥ内において用紙Ｐが詰まった場合には、ユーザが扉２００ｃを開けることにより、詰まった用紙Ｐを取り除く（ジャム処理）ことができる。
【００３４】
また、主増設搬送路Ｒ５と分岐増設搬送経路Ｒ６との分岐点、及び主増設搬送路Ｒ５と分岐増設搬送経路Ｒ６との分岐点には、上述した本体搬送先切替機構７０と略同様の機構である、増設トレイ側搬送先切替機構２７０，２８０がそれぞれ設けられている。増設トレイ側搬送先切替機構２７０は、第１位置（図１に示す位置）と、主増設搬送路Ｒ５と分岐増設搬送経路Ｒ６とを連通させる第２位置（図２に示す位置）との間において、揺動する揺動部材２７１と、揺動部材２７１を駆動する増設搬送先切替モータ２７２（図３参照）とを有する。揺動部材２７１は、増設排紙ユニット制御部３００の制御の下、本体搬送先切替モータ２７２が駆動されることで、用紙Ｐを増設排紙トレイ２６１に搬送する際には第１位置に、用紙Ｐを増設排紙トレイ２６２に搬送する際には第２位置に配置される。
【００３５】
増設トレイ側搬送先切替機構２８０は、第１位置（図２に示す位置）と、主増設搬送路Ｒ５と分岐増設搬送経路Ｒ７とを連通させる第２位置（図１に示す位置）との間において、揺動する揺動部材２８１と、揺動部材２８１を駆動する増設搬送先切替モータ２８２（図３参照）とを有する。揺動部材２８１は、増設排紙ユニット制御部３００の制御の下、本体搬送先切替モータ２８２が駆動されることで、用紙Ｐを増設排紙トレイ２６１又は増設排紙トレイ２６２に搬送する際には第１位置に、用紙Ｐを増設排紙トレイ２６３に搬送する際には第２位置に配置される。
【００３６】
主増設搬送路Ｒ５には、その検知面が主増設搬送路Ｒ５を通過する用紙Ｐに対向するように用紙検知センサ２２１〜２２４が設けられている。用紙検知センサ２２１は主増設搬送路Ｒ５の搬送方向上流端（用紙給紙口２００ｄ）に、用紙検知センサ２２２は主増設搬送路Ｒ５の搬送方向下流端（ガイド２３８の搬送方向下流端）に、用紙検知センサ２２３は主増設搬送路Ｒ５における分岐増設搬送経路Ｒ６との分岐点に、用紙検知センサ２２４は主増設搬送路Ｒ５における分岐増設搬送経路Ｒ７との分岐点にそれぞれ設けられている。これらの用紙検知センサ２２１〜２２４は、主増設搬送路Ｒ５内を通過する用紙Ｐの前端及び後端を検知して、その検知結果を用紙検知信号として増設ユニット制御部３００に出力する。増設ユニット制御部３００は、用紙検知センサ２２１〜２２４が用紙Ｐの前端を検知してから所定時間が経過しても、用紙Ｐの後端を検知しない（以下、用紙後端不検知）場合には、主増設搬送路Ｒ５内において用紙Ｐの詰り（以下、ジャム）が発生したと判断する。ここで、所定時間とは、用紙Ｐの前端と後端との距離（用紙Ｐの搬送方向に関する幅）を用紙Ｐの搬送速度で除算した値に搬送誤差分の時間を加えた時間である。
【００３７】
また、分岐増設搬送経路Ｒ６の搬送方向下流端（分岐ガイド２３６ａの搬送方向下流端）には、その検知面が分岐増設搬送経路Ｒ６を通過する用紙Ｐに対向するように用紙検知センサ２２５が設けられている。用紙検知センサ２２５が用紙後端不検知の場合には、増設ユニット制御部３００は、分岐増設搬送経路Ｒ６（分岐ガイド２３６ａ）内においてジャムが発生したと判断する。分岐増設搬送経路Ｒ７の搬送方向下流端（分岐ガイド２３７ａの搬送方向下流端）には、その検知面が分岐増設搬送経路Ｒ７を通過する用紙Ｐに対向するように用紙検知センサ２２６が設けられている。用紙検知センサ２２６が用紙後端不検知の場合には、増設ユニット制御部３００は、分岐増設搬送経路Ｒ７（分岐ガイド２３７ａ）内においてジャムが発生したと判断する。
【００３８】
また、増設排紙筐体２００ａの底板下部には、装置本体１の位置決め穴１ｂに対応する位置決めピン２００ｂが形成されているとともに、装置本体１の本体コネクタ３に対して接続可能な増設コネクタ２０３が設けられている。この増設コネクタ２０３は増設ユニット制御部３００に接続されている。位置決めピン２００ｂを位置決め穴１ｂに嵌合させることで、増設排紙ユニット２００が装置本体１に対して装着される。このとき、本体コネクタ３と増設コネクタ２０３とが接続されることで、本体制御部１００と増設ユニット制御部３００とが通信可能に接続され、且つ、増設ユニット制御部３００と本体搬送先切替モータ７２とが電気的に接続される。また、
位置決めピン２００ｂを位置決め穴１ｂに嵌合させることにより、本体搬送路Ｒ４と主増設搬送路Ｒ５とが接続される。
【００３９】
（装置本体の電気的構成）
次に、装置本体１の本体制御部１００について図３を参照しつつ説明する。本体制御部１００は、ＣＰＵ（Central Processing Unit）と、ＣＰＵが実行するプログラム及びこれらプログラムに使用されるデータを書き替え可能に記憶するＲＯＭ（Read Only Memory）と、プログラム実行時にデータを一時的に記憶するＲＡＭ（Random Access Memory）とを含んでいる。本体制御部１００を構成する各機能部は、これらハードウェアとＲＯＭ内のソフトウェアとが協働して構築されている。図３に示すように、本体制御部１００は、本体通信制御部１４１、画像データ記憶部１４２、画像記録制御部１４３、認証データ記憶部１４４、認証フラグ記憶部１４５、本体認証部１４６、及び入出力制御部１４７を有している。
【００４０】
本体通信制御部１４１は、本体コネクタ３及び増設コネクタ２０３を介して増設排紙ユニット２００と各種のデータ通信を行う。画像データ記憶部１４２は、外部装置から受信した記録指令に含まれる、画像データ、及び画像記録した用紙Ｐの搬送先を示す搬送先データを記憶する。
【００４１】
画像記録制御部１４３は、画像記録時において、画像データ記憶部１４２に記憶されている搬送先データに基づいて、用紙Ｐが搬送方向に沿って所定速度で搬送されるように、給紙ローラ２１、送りローラ３１〜３３，４１，４２，５１〜５４、及び本体搬送先切替機構７０（本体搬送先切替モータ７２）を制御する。なお、画像記録制御部１４３は、給紙ローラ２１を制御して、送りローラ３１〜３３，４１，４２，５１〜５４により搬送される前後の用紙Ｐ間の距離が、用紙検知センサ２２１と本体搬送路Ｒ３及び本体搬送路Ｒ４の分岐点との搬送経路に沿った離隔距離よりも若干長い搬送間距離になるように、給紙トレイ２０から用紙Ｐを送り出す。ここで搬送間距離とは、主増設搬送路Ｒ５の搬送方向上流端においてジャムが発生してから増設ユニット制御部３００が本体搬送先切替機構７０を制御するまでに掛かると予測される時間に、用紙Ｐの搬送速度を乗算した値と、用紙検知センサ２２１と本体搬送路Ｒ３及び本体搬送路Ｒ４の分岐点との搬送経路に沿った離隔距離とを加算した値である。これにより、増設ユニット制御部３００が、主増設搬送路Ｒ５の搬送方向上流端の用紙検知センサ２２１の検知結果に基づいて、主増設搬送路Ｒ５内においてジャムを検知したときには、当該ジャムをした用紙Ｐの次に搬送される用紙Ｐの前端は、本体搬送路Ｒ３及び本体搬送路Ｒ４の分岐点まで至っていない。その結果、増設ユニット制御部３００が、増設搬送経路ＲＥ内のジャムを検知した場合に、本体搬送先切替機構７０を制御して、揺動部材７１を第１に配置することで増設搬送経路ＲＥ内においてジャムをした用紙Ｐの次に搬送される用紙Ｐを本体排紙トレイ６０に搬送することができる。
【００４２】
また、画像記録制御部１４３は、画像記録時において、画像データ記憶部１４２に記憶された画像データに基づいて、搬送される用紙Ｐに向けてインクが吐出されるようヘッド１０を制御する。さらに、画像記録制御部１４３に記憶されている搬送先データが、増設排紙トレイ２６１〜２６３のうちの何れかを示す場合、本体通信制御部１４１は、当該搬送先データを含めた搬送制御データを、増設排紙ユニット２００に送信する。
【００４３】
認証データ記憶部１４４は、本体搬送先切替機構７０の制御を許可する増設排紙ユニット２００の認証データを予め記憶している。認証フラグ記憶部１４５は、装置本体１に対して装着される増設排紙ユニット２００が、本体搬送先切替機構７０の制御が許可されているか否かを示す認証フラグを記憶する。この認証フラグは、オン状態のときに本体搬送先切替機構７０の制御が許可されていることを示し、オフ状態のときに本体搬送先切替機構７０の制御が許可されていないことを示す。
【００４４】
本体認証部１４６は、本体制御部１００との間で、増設排紙ユニット２００による本体搬送先切替機構７０の制御許可に関する認証を行う。増設排紙ユニット２００から送信された認証データを、本体通信制御部１４１を介して受信する。そして、当該受信した認証データと、認証データ記憶部１４４に記憶されている認証データと一致するか否かを判定することで、認証を行う。また、本体認証部１４６は、認証が成功した場合（互いの認証データが一致した場合）には認証フラグ記憶部１４５に記憶されている認証フラグをオン状態にする。一方、認証が失敗した場合には、認証フラグ記憶部１４５に記憶されている認証フラグをオフ状態にする。また、本体通信制御部１４１は、その認証結果を示す認証結果データを、増設排紙ユニット２００に対して送信する。
【００４５】
入出力制御部１４７は、タッチパネル８０において表示させる表示データを生成し、この表示データをタッチパネル８０に表示する。また、入出力制御部１４７は、タッチパネル８０を介してユーザの操作入力を受け付ける。本実施形態においては、タッチパネル８０が、表示手段と操作入力手段を構成している。
【００４６】
（増設排紙ユニットの電気的構成）
次に、増設排紙ユニット２００の増設ユニット制御部３００について図３を参照しつつ説明する。本体制御部１００は、ＣＰＵと、ＣＰＵが実行するプログラム及びこれらプログラムに使用されるデータを書き替え可能に記憶するＲＯＭと、プログラム実行時にデータを一時的に記憶するＲＡＭとを含んでいる。本体制御部１００を構成する各機能部は、これらハードウェアとＲＯＭ内のソフトウェアとが協働して構築されている。図３に示すように、増設ユニット制御部３００は、増設通信制御部（検知データ送信手段）３４１、搬送制御データ記憶部３４２、増設搬送制御部３４３、ジャム検知部３４４、排紙可能トレイ判断部３４５、増設トレイ側搬送先切替部３４６、増設認証データ記憶部３４７、制御許可フラグ記憶部３４８、増設認証制御部（認証制御手段）３４９、及び増設搬送先制御部３５０を有している。
【００４７】
増設通信制御部３４１は、本体コネクタ３及び増設コネクタ２０３を介して装置本体１と各種のデータ通信を行う。例えば、ジャム検知部３４４が本体搬送路Ｒ３のジャムを検知した場合には、装置本体１に対してジャム検知データを送信する。なお、ジャム検知データには、増設排紙ユニット２００の何れの増設排紙トレイ２６０に対しても用紙Ｐを排紙することが不可能である場合に装置本体１に対して送信される第１ジャム検知データと、排紙可能な増設排紙トレイ２６０が有る場合に装置本体１に対して送信される第２ジャム検知データとがある。
【００４８】
搬送制御データ記憶部３４２は、装置本体１から送信された搬送制御データを、増設通信制御部３４１を介して受信して記憶する。なお、搬送制御データは、増設排紙トレイ２６１〜２６３のうちの何れの増設排紙トレイ２６０に用紙Ｐを搬送するかを示す搬送先データを含む。
【００４９】
増設搬送制御部３４３は、搬送制御データ記憶部３４２に記憶されている搬送制御データが示す増設排紙トレイ２６０に、装置本体１から搬送されてきた用紙Ｐが搬送されるように、送りローラ２３１〜２３４，２４１，２４２、及び増設トレイ側搬送先切替機構２７０，２８０を制御する。具体的には、増設排紙トレイ２６１に用紙Ｐを搬送する際には、揺動部材２７１，２８１が第１位置に配置されるように増設トレイ側搬送先切替機構２７０，２８０を制御する。増設排紙トレイ２６２に用紙Ｐを搬送する際には、揺動部材２７１が第２位置に、揺動部材２８１が第１位置に配置されるように増設トレイ側搬送先切替機構２７０，２８０を制御する。また、増設排紙トレイ２６３に用紙Ｐを搬送する際には、揺動部材２８１が第２位置に配置されるように増設トレイ側搬送先切替機構２８０を制御する。
【００５０】
ジャム検知部３４４は、用紙検知センサ２２１〜２２６から出力された用紙検知信号に基づいて、増設搬送経路ＲＥ内における用紙Ｐのジャムを検知するとともに、ジャムの発生箇所を特定する。具体的には、用紙検知センサ２２１〜２２６の何れかが用紙Ｐの前端を検知してから所定時間が経過しても、用紙Ｐの後端を検知していない場合（用紙後端不検知の場合）には、増設搬送経路ＲＥにおいて用紙Ｐのジャムが発生したと判断する。そして、用紙後端不検知となっている用紙検知センサの位置と、当該用紙検知センサよりも搬送方向上流側の用紙検知センサの位置との間の搬送経路をジャムの発生個所として特定する。例えば、用紙検知センサ２２４，２２６のみが用紙後端不検知の場合には、用紙検知センサ２２１が設けられている位置（用紙給紙口２００ｄ）から分岐増設搬送経路Ｒ７との分岐点までの主増設搬送路Ｒ５、及び分岐増設搬送経路Ｒ７をジャムの発生箇所と特定する。また、例えば、用紙検知センサ２２６のみが用紙後端不検知の場合には、分岐増設搬送経路Ｒ７をジャムの発生個所と特定する。本実施形態においては、用紙検知センサ２２１〜２２６とジャム検知部３４４とでジャム検知手段を構成する。
【００５１】
排紙可能トレイ判断部３４５は、用紙Ｐを排紙可能な増設排紙トレイ２６０が有るか否かを判断する。また、排紙可能な増設排紙トレイ２６０が有ると判断した場合には、その増設排紙トレイ２６０を記憶する。具体的には、排紙可能トレイ判断部３４５は、ジャム検知部３４４が特定したジャムの発生個所に基づいて、用紙給紙口２００ｄから各増設排紙トレイ２６１〜２６３に至るそれぞれの経路について、経路途中においてジャムの発生箇所あるか否かを判定する。そして、経路途中においてジャムの発生箇所がない増設排紙トレイ２６０がある場合には、用紙Ｐを排紙可能な増設排紙トレイ２６０が有ると判断する。そして、その増設排紙トレイ２６０を記憶する。例えば、ジャム検知部３４４が用紙給紙口２００ｄから分岐増設搬送経路Ｒ７との分岐点までの主増設搬送路Ｒ５をジャムの発生個所と特定していた場合には、用紙給紙口２００ｄから各増設排紙トレイ２６１〜２６３に至る全ての経路について、その経路途中においてジャムの発生箇所が有ることになるため、用紙Ｐを排紙可能な増設排紙トレイ２６０がないと判断する。一方、ジャム検知部３４４が分岐増設搬送経路Ｒ７のみをジャムの発生個所と特定していた場合には、用紙給紙口２００ｄから増設排紙トレイ２６１に至る経路及び用紙給紙口２００ｄから増設排紙トレイ２６２に至る経路については、その経路途中においてジャムの発生箇所がないことになるため、用紙Ｐを排紙可能な増設排紙トレイ２６０が有ると判断する。
【００５２】
増設トレイ側搬送先切替部３４６は、ジャム検知部３４４がジャムを検知した際に、排紙可能トレイ判断部３４５が用紙Ｐを排紙可能な増設排紙トレイ２６０があると判断していた場合に、排紙可能トレイ判断部３４５が記憶した当該排紙可能な増設排紙トレイ２６０の何れかに装置本体１から搬送されてきた用紙Ｐが搬送されるように増設トレイ側搬送先切替機構２７０，２８０を制御する。
【００５３】
増設認証データ記憶部３４７は、装置本体１との認証に用いられる増設排紙ユニット２００固有の認証データを予め記憶している。制御許可フラグ記憶部３４８は、増設搬送先制御部３５０に対して本体搬送先切替機構７０の制御を許可するか否かを示す制御許可フラグを記憶する。制御許可フラグは、オン状態のときに増設搬送先制御部３５０に対して本体搬送先切替機構７０の制御が許可されていることを示し、オフ状態のときに本体搬送先切替機構７０の制御が許可されていないことを示す。
【００５４】
増設認証制御部３４９は、本体制御部１００との間で、増設排紙ユニット２００による本体搬送先切替機構７０の制御許可に関する認証を行う。具体的には、増設排紙ユニット２００が装置本体１に対して装着されたときに、増設通信制御部３４１を介して、増設認証データ記憶部３４７に記憶されている認証データを装置本体１に対して送信する。その後、装置本体１から送信される認証結果データを、増設通信制御部３４１を介して受信する。そして受信した認証結果データが、認証の成功を示すデータである場合には、制御許可フラグ記憶部３４８に記憶されている制御許可フラグをオン状態にする。一方、受信した認証結果データが、認証の失敗を示すデータである場合には、制御許可フラグ記憶部３４８に記憶されている制御許可フラグをオフ状態にする。本実施形態においては、制御許可フラグ記憶部３４８及び増設認証制御部３４９が制御許可手段を構成している。
【００５５】
増設搬送先制御部３５０は、ジャム検知部３４４がジャムを検知した際に、排紙可能トレイ判断部３４５が用紙Ｐを排紙可能な増設排紙トレイ２６０がないと判断し、且つ制御許可フラグ記憶部３４８に記憶されている制御許可フラグがオン状態である場合に、用紙Ｐの搬送先を増設排紙ユニット２００から本体排紙トレイ６０に変更させるように装置本体１の本体搬送先切替機構７０を直接制御する。
【００５６】
（装置本体の動作）
次に、図４を参照して、装置本体１の動作について説明する。なお、この図４の動作フローの開始時は、装置本体１に対して増設排紙ユニット２００が装着される直前である。
【００５７】
まず、装置本体１に対して増設排紙ユニット２００が装着されると、本体通信制御部１４１が増設排紙ユニット２００から送信された認証データを受信する（Ａ１）。次に、本体認証部１４６が、増設排紙ユニット２００から送信されてきた認証データと、認証データ記憶部１４４に記憶されている認証データとが一致するか否かを判定する（Ａ２）。次に、本体認証部１４６は、本体通信制御部１４１を介して、その認証結果を示す認証結果データを増設排紙ユニット２００に対して送信するとともに、当該認証結果に基づいて、認証フラグ記憶部１４５に記憶されている認証フラグを更新する（Ａ３）。本体認証部１４６の認証が成功した場合、認証フラグ記憶部１４５に記憶されている認証フラグがオン状態とされる。
【００５８】
次に、本体制御部１００は、外部装置から記録指令を受信したか否かを判断する（Ａ４）。記録指令を受信していないと判断した場合（Ａ４：ＮＯ）には、ステップＡ４が繰り返されることにより、記録指令の受信待ちが行われる。一方、記録指令を受信したと判断した場合（Ａ４：ＹＥＳ）には、画像記録制御部１４３は、給紙ローラ２１、送りローラ３１〜３３，４１，４２，５１〜５４、本体搬送先切替機構７０（本体搬送先切替モータ７２）、及びヘッド１０を制御して、画像データ記憶部１４２に記録されている画像データに基づいた、用紙Ｐに対する画像記録を開始する（Ａ５）。なお、画像データ記憶部１４２に記録されている搬送先データが、本体排紙トレイ６０を示す場合には、画像記録制御部１４３は、揺動部材７１が第１位置に配置されるように本体搬送先切替機構７０を制御する。一方、搬送先データが増設排紙トレイ２６１〜２６３の何れかを示す場合には、画像記録制御部１４３は、揺動部材７１が第２位置に配置されるように本体搬送先切替機構７０を制御するとともに、搬送制御データを本体通信制御部１４１を介して増設排紙ユニット２００に対して送信する。以下、外部装置から受信した記録指令に含まれる搬送先データは、増設排紙トレイ２６１〜２６３の何れかを示すものであるとして説明する。
【００５９】
次に、本体通信制御部１４１が、第１ジャム検知データを増設排紙ユニット２００から受信したか否かを判断する（Ａ６）。第１ジャム検知データを受信したと判断した場合（Ａ６：ＹＥＳ）には、本体制御部１００は、認証フラグ記憶部１４５に記憶されている認証フラグがオン状態であるか否かを判断する（Ａ７）。認証データがオン状態ではないと判断した場合（Ａ７：ＮＯ）には、増設排紙ユニット２００により本体搬送先切替機構７０の制御が行われていない、即ち、揺動部材７１が第１位置に配置されていると判断して、画像記録制御部１４３は、ジャムの拡大を防ぐべく、給紙ローラ２１、及び送りローラ３１〜３３，４１，４２，５１〜５４を制御して、用紙Ｐの搬送動作及びインクの吐出動作等を停止する（Ａ８）。このステップＡ８の処理が終了すると、ステップＡ１２の処理に移る。
【００６０】
一方、ステップＡ７において、認証データがオン状態であると判断した場合（Ａ７：ＹＥＳ）には、画像記録制御部１４３は、現在記録中の用紙Ｐ（ヘッド１０から吐出されているインクが現在着弾している用紙Ｐ）に対しては、記録を続行し、現在記録中の用紙Ｐ以降に給紙トレイ２０から送り出された用紙Ｐに対する記録は停止するように、給紙ローラ２１、送りローラ３１〜３３，４１，４２，５１〜５４、及びヘッド１０を制御する（Ａ９）。なお、現在記録中の用紙Ｐは、増設排紙ユニット２００により揺動部材７１が第２位置に配置されているので、本体排紙トレイ６０に搬送されることになる。
【００６１】
ステップＡ９の後、入出力制御部１４７は、増設排紙ユニット２００の増設搬送経路に用紙Ｐのジャムが発生したことを表す画像、用紙Ｐの搬送先が本体排紙トレイ６０に切り替わったことを表す画像、及び、用紙Ｐの搬送先を本体排紙トレイ６０として用紙Ｐへの記録を続行するか否かをユーザに選択させるための選択画像をタッチパネル８０に表示する（Ａ１０）。これにより、増設排紙ユニット２００の増設搬送経路ＲＥにおいて用紙Ｐの詰りが発生したことにより、用紙Ｐの搬送先が本体排紙トレイ６０に切り替わったことをユーザが視認することができる。
【００６２】
次に、入出力制御部１４７は、タッチパネル８０を介してユーザから用紙Ｐの記録を続行する旨の操作入力を受け付けたか否かを判断する（Ａ１１）。
【００６３】
ユーザから用紙Ｐの記録を続行しない旨の操作入力を受け付けたと判断した場合（Ａ１１：ＮＯ）には、ステップＡ１２の処理に移る。一方、ユーザから用紙Ｐの記録を続行する旨の操作入力を受け付けたと判断した場合（Ａ１１：ＹＥＳ）には、ステップＡ１６の処理に移る。
【００６４】
ステップＡ１２においては、入出力制御部１４７が、タッチパネル８０を介して、ユーザからジャム処理が終了した旨を表す操作入力を受け付けた否かを判断する。なお、ジャム処理は、ユーザが扉２００ｃを開けて増設搬送経路ＲＥに詰まった用紙Ｐを取り除くことにより行われる。
【００６５】
ステップＡ１２において、入出力制御部１４７が操作入力を受け付けていないと判断した場合（Ａ１２：ＮＯ）には、ステップＡ１２が繰り返されることにより、ユーザによるジャム処理の終了待ち、及びその旨を示す操作入力の受け付け待ちが行われる。一方、操作入力を受け付けたと判断した場合（Ａ１２：ＹＥＳ）には、画像記録制御部１４３は、画像データ記憶部１４２に記憶されている搬送先データが示す搬送先に、用紙Ｐが搬送されるように本体搬送先切替機構７０（本体搬送先切替モータ７２）を制御して（Ａ１３）、ステップＡ１６の処理に移る。
【００６６】
一方、ステップＡ６において、本体通信制御部１４１が、第１ジャム検知データを受信していないと判断した場合（Ａ６：ＮＯ）には、本体通信制御部１４１は、搬送先が他の異なる増設排紙トレイ２６０に切り替わったことを示す第２ジャム検知データを受信したか否かを判断する（Ａ１４）。第２ジャム検知データを受信していないと判断した場合（Ａ１４：ＮＯ）には、ステップＡ１６の処理に移る。一方、第２ジャム検知データを受信したと判断した場合（Ａ１４：ＹＥＳ）には、入出力制御部１４７は、用紙Ｐの搬送先が他の異なる増設排紙トレイ２６０に切り替わった旨、及び切り替わった増設排紙トレイ２６０を表す画像をタッチパネル８０に表示する（Ａ１５）。これにより、増設排紙ユニット２００の増設搬送経路ＲＥにおいて用紙Ｐの詰りが発生したことにより、用紙Ｐの搬送先が他の異なる増設排紙トレイ２６０に切り替わったことをユーザが視認することができる。ステップＡ１５の処理が終了すると、ステップＡ１６の処理に移る。
【００６７】
ステップＡ１６の処理では、画像記録制御部１４３が、画像データ記憶部１４２に記憶されている画像データに基づいた用紙Ｐへの記録が続行されるよう、送りローラ３１〜３３，４１，４２，５１〜５４、及びヘッド１０を制御する。ステップＡ１６の処理が終了すると、画像記録制御部１４３は、画像データ記憶部１４２に記憶されている画像データの用紙Ｐへの記録が終了したか否かを判断する（Ａ１７）。画像データの用紙Ｐへの記録が終了していないと判断した場合（Ａ１７：ＮＯ）には、ステップＡ６の処理に戻る。一方、画像データの用紙Ｐへの記録が終了したと判断した場合（Ａ１７：ＹＥＳ）には、画像記録制御部１４３は、用紙Ｐの搬送が停止されるよう、給紙ローラ２１、及び送りローラ３１〜３３，４１，４２，５１〜５４を制御するとともに、本体通信制御部１４１が増設排紙ユニット２００に対して搬送停止データを送信して（Ａ１８）、ステップＡ４の処理に戻る。以上、装置本体１の動作について説明した。
【００６８】
（増設排紙ユニットの動作）
次に、図５を参照して、増設排紙ユニット２００の動作について説明する。なお、この図５の動作フローの開始時は、装置本体１に対して増設排紙ユニット２００が装着される直前である。
【００６９】
まず、装置本体１に対して増設排紙ユニット２００が装着されると、増設認証制御部３４９は、増設認証データ記憶部３４７に記憶されている認証データを、増設通信制御部３４１を介して装置本体１に対して送信する（Ｂ１）。次に、増設認証制御部３４９が、装置本体１から送信された認証結果データを、増設通信制御部３４１を介して受信し、当該認証結果データに基づいて、制御許可フラグ記憶部３４８の制御許可フラグを更新する（Ｂ２）。本体認証部１４６の認証が成功している場合には、制御許可フラグ記憶部３４８に記憶された制御許可フラグがオン状態とされる。
【００７０】
次に、本体通信制御部１４１は、装置本体１から搬送制御データを受信したか否かを判断する（Ｂ３）。搬送制御データを受信していないと判断した場合（Ｂ３：ＮＯ）には、ステップＢ３が繰り返されることにより、搬送制御データの受信待ちが行われる。一方、本体通信制御部１４１が搬送制御データを受信したと判断した場合（Ｂ３：ＹＥＳ）には、搬送制御データ記憶部３４２が当該搬送制御データを記憶するとともに、当該搬送制御データに基づいて、用紙Ｐが搬送されるように送りローラ２３１〜２３４，２４１，２４２、及び増設トレイ側搬送先切替機構２７０，２８０（増設搬送先切替モータ２７２，２８２）を制御して、搬送動作を開始する（Ｂ４）。
【００７１】
次に、ジャム検知部３４４がジャムを検知したか否かを判断する（Ｂ５）。ジャムを検知したと判断した場合（Ｂ５：ＹＥＳ）には、排紙可能トレイ判断部３４５が用紙Ｐを排紙可能な増設排紙トレイ２６０が有るか否かを判断する（Ｂ６）。用紙Ｐを排紙可能な増設排紙トレイ２６０がないと判断した場合（Ｂ６：ＮＯ）には、増設搬送先制御部３５０は、制御許可フラグ記憶部３４８に記憶されている制御許可フラグがオン状態であるか否かを判断する（Ｂ７）。制御許可フラグがオン状態ではないと判断した場合（Ｂ７：ＮＯ）には、ステップＢ９の処理に移る。一方、制御許可フラグがオン状態であると判断した場合（Ｂ７：ＹＥＳ）には、増設搬送先制御部３５０は、用紙Ｐの搬送先を増設排紙ユニット２００から本体排紙トレイ６０に変更させるように本体搬送先切替機構７０（本体搬送先切替モータ７２）を制御する（Ｂ８）。具体的には、揺動部材７１が第１位置に配置されるように本体搬送先切替モータ７２を駆動する。このステップＢ８の処理が終了すると、ステップＢ９の処理に移る。
【００７２】
ステップＢ９の処理では、増設通信制御部３４１が第１ジャム検知データを装置本体１に対して送信する。次に、増設搬送先制御部３５０は、用紙Ｐの搬送動作が停止するように送りローラ２３１〜２３４，２４１，２４２を制御し（Ｂ１０）、ステップＢ３の処理に戻る。
【００７３】
一方、ステップＢ６において、用紙Ｐを排紙可能な増設排紙トレイ２６０があると判断した場合（Ｂ６：ＹＥＳ）には、増設トレイ側搬送先切替部３４６が、用紙Ｐの搬送先を排紙可能な何れかの増設排紙トレイ２６０に変更されるよう増設トレイ側搬送先切替機構２７０，２８０を制御する（Ｂ１１）。これにより装置本体１の本体搬送先切替機構７０を制御することなく、増設排紙ユニット２００内の用紙Ｐの詰りが拡大することを抑制することができる。次に、増設通信制御部３４１が、増設トレイ側搬送先切替部３４６により新たな搬送先とされた増設排紙トレイ２６０を示すデータを含む第２ジャム検知データを装置本体１に対して送信し（Ｂ１２）、ステップＢ１５の処理に移る。
【００７４】
一方、ステップＢ５において、ジャム検知部３４４がジャムを検知していないと判断した場合（Ｂ５：ＮＯ）には、増設通信制御部３４１が搬送停止データを受信しているか否かを判断する（Ｂ１３）。搬送停止データを受信していないと判断した場合（Ｂ１３：ＮＯ）には、ステップＢ１５の処理に移る。一方、搬送停止データを受信したと判断した場合（Ｂ１３：ＹＥＳ）には、用紙Ｐの搬送動作が停止するように送りローラ２３１〜２３４，２４１，２４２を制御し（Ｂ１４）、ステップＢ３の処理に戻る。
【００７５】
ステップＢ１５の処理では、用紙Ｐの搬送動作が続行されるように、送りローラ２３１〜２３４，２４１，２４２を制御する。このステップＢ１５の処理が終了すると、ステップＢ５の処理に戻る。以上、増設排紙ユニット２００の動作について説明した。
【００７６】
以上、本実施形態のプリンタ１０１によると、増設搬送先制御部３５０が装置本体１の本体搬送先切替機構７０を直接制御することが可能にされているため、増設排紙ユニット２００内において用紙Ｐの詰りが発生してから、用紙Ｐの搬送先が本体排紙トレイ６０へと切り換わるまでの処理時間を短くすることができる。その結果、増設排紙ユニット２００内のジャムが拡大することを抑制することができる。
【００７７】
また、本実施形態のプリンタ１０１によると、増設排紙ユニット２００内においてジャムが発生した場合には、現在記録中の用紙Ｐに対してのみ記録が続行されるので、記録中の用紙Ｐが無駄になること防ぐことができると共に、本来の排紙先とは異なる本体排紙トレイ６０に排紙される用紙Ｐの枚数を最小限に留めることができる。
【００７８】
またさらに、本体制御部１００との間で、増設排紙ユニット２００による本体搬送先切替機構７０の制御許可に関する認証が成功したときのみ、増設搬送先制御部３５０は本体搬送先切替機構７０を制御することができるので、本体搬送先切替機構７０の制御を正常に行うことができる。
【００７９】
以上、本発明の好適な実施の形態について説明したが、本発明は上述の実施の形態に限られるものではなく、特許請求の範囲に記載した限りにおいて様々な変更が可能なものである。例えば、上述の実施形態においては、ジャム検知部３４４は、用紙検知センサ２２１〜２２４が用紙Ｐの前端を検知してから所定時間が経過しても、用紙Ｐの後端を検知しない場合に、増設搬送経路ＲＥ内においてジャムが発生したと判断していたが、特にこれに限定されるものではなく、例えば搬送方向上流にある用紙検知センサが用紙Ｐの前端を検出した時刻から搬送方向下流にある用紙検知センサが用紙Ｐの前端を検出する予定時刻となる所定時間が経過するまでに、搬送方向下流にある用紙検知センサが用紙Ｐの前端を検出しないときに、増設搬送経路ＲＥ内においてジャムが発生したと判断してもよい。この場合、所定時間とは用紙検知センサ間の搬送経路に沿った離隔距離を用紙Ｐの搬送速度で除算した値に搬送誤差分の時間を加えた時間である。
【００８０】
また、上述の実施形態においては、搬送機構３０、及び増設搬送機構２３０は、送りローラとガイドにより構成されているが、特にこれに限定されるものではなく、例えば搬送ベルトにより構成されていてもよい。
【００８１】
また、上述の実施形態においては、増設排紙ユニット２００による本体搬送先切替機構７０の制御許可に関する認証の際、増設ユニット制御部３００が認証データを本体制御部１００に送信し、本体制御部１００が、その送信された認証データと装置本体１に記憶されている認証データとが一致するか否かを判定しているが、本体制御部１００が増設ユニット制御部３００に認証データを送信し、増設ユニット制御部３００が、その送信された認証データと増設排紙ユニット２００に記憶されている認証データとが一致するか否かを判定してもよい。なお、これらは増設排紙ユニット２００の認証を行なう構成であるが、増設排紙ユニット２００の認証を行なわない構成であってもよい。
【００８２】
また、上述の実施形態においては、増設排紙ユニット２００の増設搬送経路ＲＥにおいてジャムが発生した際に、他の増設排紙トレイ２６０に用紙Ｐを排紙可能な場合には、現在記録中の用紙Ｐ以降の用紙Ｐに対する画像記録についても、ユーザの操作入力を受けずに記録が続行されるようにされているが、現在記録中の用紙Ｐに対しては記録を続行し、現在記録中の用紙Ｐ以降の用紙Ｐに対する記録は停止されるようにされていてもよい。
【００８３】
また、上述の実施形態においては、画像記録手段（給紙ローラ２１、送りローラ３１〜３３，４１，４２，５１〜５４、及びヘッド１０）は本体制御部１００のみが制御可能にされているが、増設ユニット制御部３００も制御可能にされていてもよい。この場合、ジャム検知部３４４がジャムを検知した際に、増設ユニット制御部３００が画像記録手段を直接制御することで、本来の排紙先とは異なる本体排紙トレイ６０に排紙される用紙Ｐの枚数をより最小限に留めることができる。
【００８４】
また、上述の実施形態においては、画像記録制御部１４３は、給紙ローラ２１を制御して、送りローラ３１〜３３，４１，４２，５１〜５４により搬送される前後の用紙Ｐ間の距離が、用紙検知センサ２２１と本体搬送路Ｒ３及び本体搬送路Ｒ４の分岐点との搬送経路に沿った離隔距離よりも若干長い搬送間距離になるように、給紙トレイ２０から用紙Ｐを送り出しているが、この搬送間距離よりも小さい距離になるように給紙トレイ２０から用紙Ｐを送り出してもよい。この場合は、当該ジャムをした用紙Ｐの次に搬送される用紙Ｐについてもジャムする可能性はあるものの、それ以降の用紙Ｐについてのジャムは抑制することが可能となる。
【００８５】
また、本発明は、プリンタに限定されず、ファクシミリやコピー機等にも適用可能である。ヘッドは、インク以外の任意の液体を吐出してよい。また、プリンタ１０１に含まれるヘッドの数は２つ以上であってもよい。記録媒体は、用紙Ｐに限定されず、記録可能な任意の媒体であってよい。
【符号の説明】
【００８６】
１  装置本体
６０  本体排紙トレイ
７０  本体搬送先切替機構（搬送先切替手段）
１００  本体制御部（本体制御手段）
１０１  プリンタ（記録装置）
２００  増設排紙ユニット
２６０  増設排紙トレイ
３００  増設ユニット制御部
ＲＥ  増設搬送経路
【図２】
0005724805.tif 000002
【図３】
0005724805.tif 000003
【図４】
0005724805.tif 000004
【図５】
0005724805.tif 000005
【図１】
0005724805.tif 000006